(57)【要約】【課題】光学撮影機器のレンズ筒に直接取付けることができ、嵩張ることなく光学撮影機器によるフィルターを使用した撮影を可能にすることができる光学撮影機器のフィルターを提供する。【解決手段】フィルター機能を有するシートを用いて円形のフィルター本体２を形成し、このフィルター本体２の外周に摘み片３を設け、前記フィルター本体２をその一面側で外周寄りの位置に設けた接着材層４で小型カメラＡのレンズ筒Ｂの先端面に直接取付ける。【選択図】図１
2008268491.tif 000002
【特許請求の範囲】
【請求項１】
フィルター機能を有するシートを用いてフィルター本体を形成し、このフィルター本体の外周に摘み片を設け、前記フィルター本体の一面側で外周寄りの位置に接着剤層を設けた光学撮影機器のフィルター。
【請求項２】
上記フィルター本体が偏光シートを用いて形成され、上記摘み片に偏光方向を示すラインを設けた請求項１に記載の光学撮影機器のフィルター。
【請求項３】
上記フィルター本体に絵柄が施され、上記摘み片に絵柄の方向を示すラインを設けた請求項１に記載の光学撮影機器のフィルター。
【発明の詳細な説明】
【技術分野】
【０００１】
この発明は、各種カメラやＶＴＲ等の光学撮影機器、例えば、小型カメラ等のレンズ筒に直接取付けて使用するフィルターに関する。
【背景技術】
【０００２】
近年、急速に普及している小型デジタルカメラ等の小型カメラは、レンズを使用可能にセットしたりズーム機能や望遠機能を得るために、カメラ本体の前部に設けたレンズ筒が伸縮動し、使用しないときはレンズ筒がカメラ本体内に収まるようになっている。
【０００３】
カメラを用いた写真の撮影において、被写体の乱反射を防いで鮮明で美しい写真が撮影できるようにしたり、特定の色を付けることによってカラーを強調するために、カメラにおけるレンズ筒の先端にフィルターを取付けることが行われている。
【０００４】
従来の一般的なカメラのフィルターの取付は、内周又は外周にねじを設けた円形金属リングの内部にフィルター本体を取付けて形成され、カメラにおけるレンズ筒の先端に設けたねじに前記金属リングをねじ込むことによって、レンズ筒の先端に取付けるアダプター構造になっている。
【０００５】
しかし、小型カメラは、レンズ筒が伸縮動し、使用しないときはレンズ筒がカメラ本体内に収まるようになっているため、レンズ筒にアダプター構造を設けることができず、このため、レンズ筒の先端にフィルターを直接取付けることができないようになっている。
【０００６】
また、小型カメラによるフィルター撮影を可能にする従来の手段としては、小型カメラの本体下面に設けた三脚取付けねじ孔を利用し、これに取付け基板をねじ止めし、この基板の上面にフィルターを取付け、レンズ筒の前方位置に距離を置いてフィルターを配置するようにしたものが提案されている（特許文献１参照）。
【特許文献１】実用新案登録第３０４５４８５号公報
【発明の開示】
【発明が解決しようとする課題】
【０００７】
ところで、上記した基板を用いるフィルターの取付け構造は、基板やフィルターがカメラ本体の外部前方に突出することになり、カメラ全体の嵩が高くなって取り扱いに不便であると共に、三脚取付けねじ孔を利用するため、カメラを三脚に取付けた撮影ができないという問題がある。
【０００８】
そこで、この発明の課題は、レンズ筒にフィルターの取付けのためのアダプター構造のない光学撮影機器において、そのレンズ筒に対して簡単に直接取付けることができ、しかも、レンズ筒が伸縮する機構の場合にその伸縮に支障を与えることなく、特に、小型カメラに嵩張りを生じさせることなく、フィルターを使用した撮影を可能にすることができるカメラのフィルターを提供することにある。
【課題を解決するための手段】
【０００９】
上記のような課題を解決するため、この発明は、フィルター機能を有するシートを用いてフィルター本体を形成し、このフィルター本体の外周に摘み片を設け、前記フィルター本体の一面側で外周寄りの位置に接着剤層を設けた構成を採用したものである。
【００１０】
上記フィルター本体が偏光シートや絵柄のあるシートを用いて形成され、上記摘み片に偏光方向や絵柄の方向を示すラインを設けた構造とすることができる。
【００１１】
ここで、フィルター本体は、カメラやＶＴＲ等のレンズ筒の外径に適応する円形に形成され、外周の一箇所に摘み片が外部に突出するように連成され、このフィルター本体は、偏光シートだけでなく、各種絵柄や色彩を施したシートを用いて形成してもよく、材料に合成樹脂のシートを用いることにより、価格的に安価で使い捨てにも対応でき、また、シートが撓み性を有することで、レンズ筒に対する取付け取外しの操作が行い易いという利点がある。
【発明の効果】
【００１２】
この発明によると、フィルター機能を有するシートを用いたフィルター本体の一面側で外周寄りの位置に接着剤層を設けたので、レンズ筒にフィルターの取付けのためのアダプター構造のない光学撮影機器に対して、レンズ筒の先端面に貼り付けて取付けることができ、このような光学撮影機器によるフィルターを使用した撮影が可能になり、しかも、レンズ筒の先端面に直接貼り付けるだけであるので、特に、小型カメラが嵩張るというようなことがなく、小型カメラによるフィルターを使用した撮影が簡単に実現できる。
【００１３】
また、接着剤層で光学撮影機器のレンズ筒の先端面にフィルター本体を貼り付けて取付けるので、例えば、レンズ筒が伸縮する小型カメラにおいては、レンズ筒の伸縮に全く支障を与えることがないと共に、外周の摘み片により、フィルター本体のレンズ筒に対する取付け取外しの操作が簡単に行えることになる。
【００１４】
更に、フィルター本体に偏光シートを用い、摘み片に偏光方向を示すラインを設けたので、偏光シートの偏光方向がラインによって確認でき、レンズ筒に対する取付け時に偏光シートの偏光方向を一定にすることで間違った方向での取付け発生を防ぐことができる。
【発明を実施するための最良の形態】
【００１５】
以下、この発明の実施の形態を図示例に基づいて説明する。
【００１６】
図１（ａ）乃至（ｃ）のように、フィルター１は、着色等によってフィルター機能を有するシートを用いて円形に形成したフィルター本体２の外周で一箇所の位置に摘み片３を外方に突出するように設け、前記フィルター本体２の一面側で外周寄りの位置で中心を挟む両側に、両面粘着テープ等を用い、離形紙４ａで保護された小さな接着剤層４を取付けた構造になっている。
【００１７】
ここで、上記離形紙は、フィルター１よりも少し大きなものを用い、この離形紙に接着剤層４でフィルター１を貼り付け、使用時にフィルター１を離形紙から剥がすようにしてもよく、離形紙を更に大きくすることで、複数枚のフィルター１を貼り付けた販売形態にすることができる。
【００１８】
上記フィルター本体２に用いる材料は、撓み性と光透過性がある合成樹脂シートを用い、適宜色彩の着色や絵柄を施すことによって、被写体の乱反射を防ぐフィルター機能やカラーを強調する機能を付加したものと、合成樹脂製の偏光シートの何れでも用いることができ、このフィルター本体２は、図２と図３で一例として示した小型カメラＡのレンズ筒Ｂの外径に見合う直径の円板状となり、従って、メーカーや機種によって異なるレンズ筒Ｂの外径に対応することができるように、直径の異なったものを複数用意しておくようにする。
【００１９】
上記フィルター本体２が、合成樹脂の偏光シートを用いて形成されている場合や、写真に絵柄が写るように各種絵柄が施されている場合、上記摘み片３に偏光方向や絵柄の方向を示すライン５を設け、このライン５によって偏光シートの偏光方向や絵柄の方向が確認できるようにし、レンズ筒Ｂに対する取付け時に偏光方向や絵柄を一定にすることで誤った方向での取付けを防ぐようにしている。
【００２０】
この発明のフィルター１は、図３のように、小型カメラＡのレンズ筒Ｂの先端面に、摘み片３で保持したフィルター本体２を臨ませ、離形紙４ａを剥がした接着剤層４でフィルター１をレンズ筒Ｂに貼り付けることによって取付け、この状態で写真の撮影に供するものであり、小型カメラＡでフィルター１を用いた写真撮影が可能になる。
【００２１】
フィルター本体２は、接着剤層４でレンズ筒Ｂの先端面に取付けるだけであるので、小型カメラＡ側に何ら加工を施す必要がなく、また、レンズ筒Ｂの先端面に貼り付けて取付けただけであるので、レンズ筒Ｂの伸縮動に全く支障を与えることがない。
【００２２】
また、フィルター本体２が偏光シートや絵柄が施されている場合、摘み片３に設けた偏光方向や絵柄の方向を示すライン５を見ることによって偏光方向や絵柄の方向が確認でき、レンズ筒Ｂの先端面に対する取付け時に偏光方向や絵柄を縦又は水平等の向きに一定化して取付けることができる。
【００２３】
上記小型カメラＡのレンズ筒Ｂに取付けたフィルター１を使用しないときは、摘み片３を指先で摘んでフィルター１を剥がせばよく、接着剤層４による貼り付けであるので、簡単に剥がすことができる。
【００２４】
上記のフィルター１は、撓み性と光透過性がある合成樹脂シートや偏光シートを材料に用いて形成することにより、量産が容易で価格的に安く提供でき、使い捨てにも対応することができることになる。
【００２５】
なお、この発明のフィルター１は、小型カメラＡへの取付けに限定されるものではなく、一般的なカメラやＶＴＲ等の各種光学撮影機器への使用が当然可能であり、また、フィルター本体２の形状は円形だけでなく、角形や多角形等の非円形の形状にしてもよい。
【図面の簡単な説明】
【００２６】
【図１】（ａ）はこの発明に係るフィルターの正面から見た斜視図、（ｂ）は同じく背面から見た斜視図、（ｃ）は（ａ）の矢印ｃ−ｃ部分を拡大した横断面図
【図２】この発明に係るフィルターと小型カメラの関係を示す分解斜視図
【図３】（ａ）はこの発明に係るフィルターを取付けた小型カメラの平面図、（ｂ）は同じくレンズ筒を伸長させた小型カメラの一部切り欠き平面図、（ｃ）はレンズ筒に対するフィルターの貼り付け部分を拡大した横断面図
【符号の説明】
【００２７】
１      フィルター
２      フィルター本体
３      摘み片
４      接着剤層
５      ライン
Ａ      小型カメラ
Ｂ      レンズ筒
【図１】
2008268491.tif 000003
【図２】
2008268491.tif 000004
【図３】
2008268491.tif 000005